(57)【要約】【課題】構造物の出入口の床面にある程度の不陸があっても当該部分の十分な止水性能を確保することができる止水板を提供すること。【解決手段】構造物の出入口へ堰板状に設置される板本体と、設置状態における前記板本体の背面（構造物の内側に面する面）の両端部分へ縦方向に沿って密に接着された側部止水パッキンと、設置状態における前記板本体の底部へ全長にわたって密に接着された底部止水パッキンとを備え、前記底部止水パッキンは、設置状態において前記出入口の床面へ接するゴム硬度の小さい下部ゴム層と、前記下部ゴム層よりもゴム硬度の大きい上部ゴム層との少なくとも二層からなることを最も主要な特徴とするものである。【選択図】        図２
2008180061.tif 000002
【特許請求の範囲】
【請求項１】
構造物の出入口へ堰板状に設置される止水板の板本体と、設置状態における前記板本体の背面（構造物の内側に面する面）の両端部分へ縦方向に沿って密に接着された側部止水パッキンと、設置状態における前記板本体の底部へ全長にわたって密に接着された底部止水パッキンとを備え、
前記底部止水パッキンは、設置状態において前記出入口の床面へ接するゴム硬度の小さい下部ゴム層と、前記下部ゴム層よりもゴム硬度の大きい上部ゴム層との少なくとも二層からなることを特徴とする止水板。
【請求項２】
前記底部パッキンの下部ゴム層は前記上部ゴム層よりも厚みが小さい、請求項１に記載の止水板。
【請求項３】
前記下部ゴム層と上部ゴム層のゴム硬度（JIS K 6253 に準拠するデュロメータタイプＥにより測定した硬さ）は、前者がＥ６〜１２の範囲であり、後者がＥ１７〜２３の範囲である、請求項１〜３のいずれかに記載の止水板止。
【請求項４】
前記底部止水パッキンは、前記板本体の底面に接着されている本体止水部と、前記側部止水パッキンの厚み（前記板本体との接着面から当該接着面の対面までの量）とほぼ同じ幅であって、上部ゴム層の両端部上面が対応する側部パッキンの底面と接した状態で前記本体止水部の背面側に設けられた補助止水部とからなることを特徴とする、請求項１〜３のいずれかに記載の止水板。
【請求項５】
前記板本体の背面側下部には押え板が当該板本体に対してほぼ直角に固定され、当該補助止水部の上部ゴム層は前記押え板の下面へ接着されている、請求項４に記載の止水板。
【請求項６】
前記底部止水パッキンにおける補助止水部の下部ゴム層は前記本体止水部の下部ゴム層とほぼ同じ材質でほぼ同じ厚みである、請求項４に記載の止水板。
【請求項７】
前記板本体の底部には板長さ方向に沿って溝状部が形成され、前記底部止水パッキンにおける上部ゴム層の一部は全長にわたり前記溝状部へ挿入された状態で前記板本体へ接着されている、請求項４〜６のいずれかに記載の止水板。
【請求項８】
前記補助止水部の上部ゴム層の両端部上面は対応する側部パッキンの下端面へ接着され、前記底部パッキンの本体止水部と補助止水部相互はそれぞれ接着されている、請求項４〜７のいずれかに記載の止水板。
【請求項９】
設置状態における前記板本体の背面両端部近傍には、上部又は上部寄り位置にラチェット部が前記板本体の対応する端部側斜め下方又は下方へ向く状態にバックルが固定されたラッシングベルトが設けられている、請求項１〜８のいずれかに記載の止水板。
【請求項１０】
設置状態における前記板本体の背面の両端部近傍において、上部又は上部寄り位置にはラチェット部が前記板本体の対応する端部側斜め下方へ又は下方へ向く状態にバックルが固定されたラッシングベルトが、下部にはラチェット部が前記板本体の対応する端部側へ向く状態にバックルが固定されたラッシングベルトが、それぞれ設けられていることを特徴とする請求項１〜８のいずれかに記載の止水板。
【請求項１１】
設置状態における前記板本体の背面の長さ方向ほぼ中央部には、上部又は上部寄り位置にラチェット部がほぼ下方を向く状態にバックルが固定されたラッシングベルトが設けられている、請求項９又は１０に記載の止水板。
【発明の詳細な説明】
【技術分野】
【０００１】
本発明は、集中豪雨洪水の際にビルや住宅等の建物及び地下鉄や地下室その他の構造物内への浸水を防止するため、当該構造物の出入口へ堰板状に設置する止水板に関するものである。
【背景技術】
【０００２】
従来の止水板には、例えば以下のように設置されるものが提案されている。
その第１は、構造物の出入口両側へ対向溝形立柱を密着固定し、各立柱の前記溝内に止水板の両端部を挿入し、前記止水板の底面と背面（構造物の内側に面する面）両端部縦方向に止水パッキン（弾性止水ゴム）を設け、当該止水パッキンを床面及び前記溝の背面側内面へ圧接させるクレセントを、前記止水板の背面と前記立柱の背面とに掛渡すように形成したものである（後記特許文献１参照）。
【０００３】
その第２は、構造物の出入口両側に支柱部材を設け、この支柱部材の正面側に、底部と背面両端部縦方向にパッキンを有する止水板を前記背面両端部のパッキンが接触する状態に設け、前記各支柱部材に取り付けたナット状受具へ前記止水板を貫通したボルト状締付具を締付けて前記各パッキンを圧縮するように構成したものである（後記特許文献３参照）。
前記各止水板において、各パッキンには耐久性（繰返し使用の耐久性）のため多くの場合ゴム（特に合成ゴム）製のパッキンが使用される。
【０００４】
前記各従来技術において、それぞれの止水板の底部におけるパッキンは適当な押圧手段により床面へ押圧圧縮されるが、底部のパッキンは一層であるため、当該パッキンのゴム硬度（例えばＪＩＳ  Ｋ  ６２５３  に準拠するデュロメータタイプＥで測定したときの硬さ）が大きいと、床面にはタイル等が貼ってなくても通常少なからず凹凸による不陸があるので、不陸差（凹凸差）の部分で止水が不十分になる。
他方、底部のパッキンのゴム硬度が小さい場合には、適切な厚み（圧縮方向の量）のものを選ぶことにより圧縮状態で前記不陸部へパッキンが追随し易い。しかし、床面の前記のような不陸をカバーするのに必要十分な厚みでゴム硬度の小さいパッキンは、圧縮状態で前記不陸部の低レベル方向（止水板の前面側又は背面側）へ部分的に過大膨出し、結果として必要な止水を確保できなかった。
【０００５】
なお、出入口における両側部の支柱部材の下端部相互を連結する接地板を設け、当該接地版の上にパッキンを介して止水板を設置する（例えば後記特許文献２）ことも提案されているが、接地板は敷設時に必ず撓みが生じるほか接地板自体にも不陸が存在するので必要十分な止水を確保することができなかった。
【特許文献１】特開２００１−０９８７９２号公報
【特許文献２】特開２００１−３２９７５９号公報
【特許文献３】特開２００５−０６８９６４号公報
【発明の開示】
【発明が解決しようとする課題】
【０００６】
本発明の課題は、前記のような止水板の特に底部における止水性能の改善にあり、その目的は、構造物の出入口の床面にある程度の不陸があっても当該部分に必要十分な止水性能を確保することができる止水板を提供することにある。
【課題を解決するための手段】
【０００７】
本発明に係る止水板は前記課題を解決するため、構造物の出入口へ堰板状に設置される板本体と、設置状態における前記板本体の背面（構造物の内側に面する面）の両端部分へ縦方向に沿って密に接着された側部止水パッキンと、設置状態における前記板本体の底部へ全長にわたって密に接着された底部止水パッキンとを備え、前記底部止水パッキンは、設置状態において前記出入口の床面へ接するゴム硬度の小さい下部ゴム層と、前記下部ゴム層よりもゴム硬度の大きい上部ゴム層との少なくとも二層からなることを最も主要な特徴とするものである。
【発明の効果】
【０００８】
本発明に係る止水板によれば、その設置時に前記板本体を適当な押圧手段により床面に押圧して底部パッキンを圧縮すると、下部ゴム層の圧縮量が相対的に大きいために、床面にタイル等の目地溝その他の凹凸によりある程度の不陸があっても、当該不陸に追随して十分な止水性能を発揮する。
また、設置状態での圧縮量は下部ゴム層よりも小さいが上部ゴム層も同時に圧縮されるので、相対的に柔らかい下部ゴム層は、厚みが小さくても床面の不陸が過大でなければ底部における止水は十分に確保できる。同様な理由により、押圧による圧縮時に下部ゴム層が前記不陸部の低レベル方向へ部分的に過大膨出することはないので、底部パッキンの前記止水性が阻害されることもない。
【発明を実施するための最良の形態】
【０００９】
以下本発明の最適実施の形態を説明する。
図１は本発明に係る一実施形態の止水板を使用した止水板設置構造の一形態を示すもので、設置状態を背面側から見た概略斜視図、図２は図１の止水板設置構造における左端部分の部分破断拡大斜視図、図３は図１の矢印Ａ−Ａに沿う部分拡大断面図である。
【００１０】
この実施形態の止水板１は、構造物の出入口７へ堰板状に設置される板本体１０と、設置状態における前記板本体１０の背面（構造物の内側に面する面）の両端部分へ縦方向に沿って密に接着された側部止水パッキン１１と、設置状態における前記板本体１０の底部へ全長にわたって密に接着された底部止水パッキン１２（図２，３）とから構成されている。
前記底部止水パッキン１２は、設置状態において前記出入口７の床面へ接するゴム硬度の小さい下部ゴム層１２０と、当該下部ゴム層１２０よりもゴム硬度の大きい上部ゴム層１２１との少なくとも二層から構成されている。
【００１１】
板本体１０の材質は、後述のような止水板１の設置状態において下方への押圧力と止水圧力に対して十分な強度を備えていれば特に限定されないが、例えばアルミニウム又はアルミニウム合金（以下「アルミ合金等」と言う。）その他の金属製の中空板であるのが軽量で好ましい。
この実施形態において板本体１０はアルミ合金等で製造され、両端部における断面方形の支柱状骨材の対面へ適当な板厚の両面板を固定するとともに、上下端部へ端面板を固定した中空板である（各構成部材については図示を省略する）。
【００１２】
この実施形態において、側部止水パッキン１１及び底部止水パッキン１２との板本体１０に対する接着にはコーキングタイプの接着剤が使用され、したがってそれらの板本体１０への接着状態は密になっている。また、以下の各部材相互の接着にも同様なコーキングタイプの接着剤を使用するのが好ましい。
前記底部止水パッキン１２は、前記止水板１の板本体１０の底部へ密に接着された本体止水部１２ａと、当該本体止水部１２ａの背面側へ位置しかつ前記側部止水パッキン１１の厚みｔ２（図３）とほぼ同じ幅ｗ２の補助止水部１２ｂとから構成されている。前記補助止水部１２ｂの両端部上面は対応する側部止水パッキン１１の底面と密に接着され、本体止水部１２ａと補助止水部１２ｂ相互も密に接着されている。
【００１３】
この実施形態において、本体止水部１２ａの上部ゴム層１２１の上部は、板本体１０との接着面積を拡大するため、板本体１０の底部へ長さ方向に沿って形成された溝状部１０ａ内へ押し込まれた状態で接着されている。
上記構成に関連して、補助止水部１２ｂの上部ゴム層１２３は、一方の厚さ面における厚さ方向の上方部分が前記板本体１０の背面下部へ連続的に接着されており、前記一方の厚さ面における厚さ方向の下方部分が本体止水部１２ａの背面側へ接着されている。
また、本体止水部１２ａの上部ゴム層１２１と補助止水部１２ｂの上部ゴム層１２３の各厚みｔ４，ｔ６（図３）はほぼ同じである。
【００１４】
なお、構造物の出入口７の床面における不陸が小さい場合には、前記本体止水部１２ａのみで底部止水パッキン１２を構成することができる。この場合には、側部止水パッキン１１の下端部を底部止水パッキン１２の厚み分だけ延ばし、当該側部止水パッキン１１の下部前面と底部止水パッキン１２の両端部背面とを密に接着する。
【００１５】
前記底部止水パッキン１２における補助止水部１２ｂの下部ゴム層１２２は、前記本体止水部１２ａの下部ゴム層１２０と同じ材質でほぼ同じ厚みであるのが好ましい。その理由は、後述する止水板１の設置時に床面へ押圧された状態において、両下部ゴム層１２０，１２２の絶対圧縮量が近似的にバランスすることによる。
また、各下部ゴム層１２０，１２２の各厚みｔ３，ｔ５（図３）は、それらに対応する各上部ゴム層１２１，１２３の各厚みｔ４，ｔ６よりも小さいことが好ましい。
下部ゴム層１２０，１２２とそれらに対応する上部ゴム層１２１，１２３は、接着されているのが取り扱い上好ましい。各下部ゴム層１２０，１２２相互と各上部ゴム層１２１，１２３相互は、同じ材質のゴム板を切断して接着したものであるが、それら相互は一体であっても差し支えない。
【００１６】
各止水パッキン１１，１２には耐久性の面から合成ゴムを使用するのが好ましく、この実施形態では、側部止水パッキン１１及び各上部ゴム層１２１，１２３には同じゴム硬度のプロロブチレンゴム又はプロロピレンゴムの板が使用され、各下部ゴム層１２０，１２２には同じゴム硬度のシリコーンゴムの板が使用されている。
【００１７】
この実施形態においては、板本体１０の厚みｔ１（図３）は４０ｍｍ、側部止水パッキン１１の幅及び厚みｔ２はともに４０ｍｍ、底部止水パッキン１２における本体止水部１２ａ及び補助止水部１２ｂの各幅ｗ１，ｗ２は４０ｍｍ、各下部ゴム層１２０，１２２の厚みｔ３，ｔ５は１０ｍｍ、各上部ゴム層１２１，１２３の厚みｔ４，ｔ６は３０ｍｍにそれぞれ設計されている。
これらの各止水パッキン１１，１２のサイズは、設置状態において必要十分な止水性能を確保するためのそれらに対する加圧力や、板本体１０の幅ｗ１を考慮して設計したものである。
【００１８】
前記各下部ゴム層１２０，１２２と各上部ゴム層１２１，１２３のゴム硬度（JIS K 6253 に準拠するデュロメータタイプＥにより測定した硬さ）は、設置状態においてそれらに加わる加圧力の大小や板本体１０の厚みｔ１その他の条件により異なる（前記加圧力が大きければそれに応じて必要な前記ゴム硬度も大きくなる）。
板本体１０の厚みｔ１が４０ｍｍ±１０ｍｍ程度であって、この種の止水板における底部止水パッキン１２に対する加圧力が平均的な範囲内であり、底部止水パッキン１２の各部サイズがほぼ前記のとおりである場合のおおよその目安を示すと、各下部ゴム層１２０，１２２のゴム硬度はＥ６〜１２の範囲であり、各上部ゴム層１２１，１２３及び側部止水パッキン１１のゴム硬度はＥ１７〜２３の範囲であるのが実験上好ましい。
この実施形態において、各下部ゴム層１２０，１２２のゴム硬度はＥ８、各上部ゴム層１２１，１２３及び側部止水パッキン１１のゴム硬度はＥ２０である。
【００１９】
止水板設置構造の第１形態
前記のように構成された止水板１を、構造物の出入口７への第１の設置構造について以下説明する。
出入口７の両側壁７０に、例えばシリコーンその他の樹脂からなるコーキング材（図示しない）を介して、断面方形の支柱部材（例えばステンレスの中空状角パイプ）５を複数のボルト（図示ない）等により直立状に固定する。出入口７の構造上側壁７０に例えば柱が突出しているような場合には、当該柱を支柱部材５として使用する。
当該各支柱部材５，５の正面（出入口７で外側に面する面）へ各側部止水パッキン１１が接触し、床面へ底部止水パッキン１２が接触する状態に止水板１を配置する。
この状態で、適当な押圧具により板本体１０を各支柱部材５と床面とに向けて押圧し、各側部止水パッキン１１と底部止水パッキン１２とを必要量圧縮させる。
【００２０】
前記押圧具は他の構造のものでも差し支えないが、より小さな力で手軽に操作できることと設置作業員の個人差による各止水パッキン１１，１１，１２への加圧力の差を小さくするためには、以下説明するように各ラッシングベルト２，３，４を使用するのが好ましい。
各第１のラッシングベルト２は板本体１０を主として床面へ押圧し、各第２のラッシングベルト３は板本体１０を主として支柱部材５へ押圧する状態に、板本体１０の背面側両端部近傍へそれぞれ取り付けられ、第３のラッシングベルト４は板本体１０を主として床面へ押圧する状態に板本体１０の背面側ほぼ中央部へ取り付けられている。
【００２１】
各ラッシングベルト２，３，４は、それぞれ前記のように作用する状態であれば、必ずしも図示の状態に取り付けられていなくても差し支えないが、この実施形態の止水板１においては、保管や運搬その他の便宜と設置作業員の個人差による前記加圧力の差をなるべく小さくするため、板本体１０に対して以下のように取り付けられている。
止水板１の設置状態における板本体１０の背面の両端部近傍において、上部にはラチェット部２０１が板本体１０の対応する端部側斜め下方へ向く状態にバックル２０が固定された第１のラッシングベルト２がそれぞれ設けられている。またそれらの下部には、ラチェット部３０１が板本体１０の対応する端部側へ向く状態にバックル３０が固定された第２のラッシングベルト３がそれぞれ設けられている。
板本体１０の背面における長さ方向のほぼ中央部の上部には、ラチェット部４０１がほぼ下方へ向く状態にバックル４０が固定された第３のラッシングベルト４が設けられている。
【００２２】
２１，３１，４１は対応する各ラッシングベルト２，３，４のベルト、２２，３２，４２は対応する各ラッシングベルト２，３，４におけるベルト先端部のフック具、２００，３００、４００は対応する各ラッシングベルト２，３，４におけるラチェット部２０１，３０１，４０１の操作用のハンドルである。
【００２３】
この実施形態における止水板１の前記押圧手段の構成に対応して、前記各支柱部材５，５の対向面の下方部分と床面の幅方向ほぼ中央部には、各ラッシングベルト２，３，４のそれぞれのフック具２２，２３、４２と対応するフック受具２３，３３，４３が設けられている。
なお、各支柱部材５におけるフック受具２３，３３は、対応する各支柱部材５の所用部分に形成された個々の又は共通の孔ないし輪であっても差し支えない。
【００２４】
第３のラッシングベルト４と対応するフック受具４３はアイボルトであり、図３で示すように床に埋設されたナット４３０へねじ込んで固定されている。
この実施形態では、ボルト挿通孔４３４が形成された床面側板部の上面が床面とほぼ同レベルとなる状態にアングル板状の取付ベース４３２を床に埋設し、床面側板部の下面へ前記ボルト挿通孔４３４と対応するようにナット４３０を溶接し、このナット４３０を床面側板部へ溶接された箱状のカバーケース４３５によってカバーしている。
一方、フック受具４３を構成するアイボルトの軸部は、取付ベース４３２とほぼ同様な断面を有する座金兼カバー４３１のボルト挿通孔４３３を介して前記ナット４３０へねじ込まれている。
止水板１が撤去されるときは、フック受具４３と座金兼カバー４３１はともに撤去されるが、これらが撤去されたときは、前記ボルト挿通孔４３３，４３４は、前記ナット３４０へねじ込まれる図示しないボルト（例えばトラスキャップボルト）により塞がれるように構成されている。
【００２５】
この実施形態の止水板１は、各フック具２２，３２，４２を対応するフック受具２３，３３，４３へ引掛けて連結し、各ラッシングベルト２，３，４のハンドル２００，３００，４００を起倒操作して各ベルト２１，３１，４１を巻締めることにより、出入口７へ設置する。
前記設置により、板本体１０は各支柱部材５及び床面へ押圧されて各止水パッキン１１，１２が必要量圧縮される。
前記各ベルト２１，３１，４１には、それらの巻締めによる各押圧力をバランスさせるために所定位置の幅方向へ一又は複数の目印線（図示しない）を表示し、目標とする目印線が対応する各バックル２０，３０，４０の先端部に到達したとき、それらのベルト２１，３１，４１の巻締めを停止するように構成することができる。
なお、中央部における第３のラッシングベルト４は、板本体１０の長さが所定量以下（例えば２０００ｍｍ前後以下）であれば省略することができる。
【００２６】
前記実施形態の止水板によれば、前記のように構造物の出入口７へ堰板状に設置した場合、各第１のラッシングベルト２の締付け圧力（押圧力）の大半は床面方向へ、当該締付け圧力の残部は対応する位置の支柱部材５の方向へそれぞれ作用する。
各第２のラッシングベルト３の締付け圧力の大半は対応する位置の支柱部材５の方向へ、当該締付け圧力の残部は床面方向へそれぞれ作用する。
また、第３のラッシングベルト４の締付け圧力のほとんどは床面方向へ、当該締付け圧力の残部は各支柱部材５の方向へそれぞれ作用する。
その結果、各止水パッキン１１，１２が圧縮されると同時に止水板１が出入口７へ堰板状に固定され、洪水等の際に構造物内への浸水が防止される。
【００２７】
前記床面方向への締付け圧力により底部パッキン１２が圧縮されると、本体止水部１２ａの相対的に厚みとゴム硬度の小さい下部ゴム層１２０は圧縮量が相対的に大きい（ただし、圧縮した状態は図示されていない）ために、床面にタイル等の目地溝その他の凹凸によりある程度の不陸があってもそれによく追随して必要な止水性能を発揮する。
上部ゴム層１２１も下部ゴム層１２０のそれよりも小さいけれども同時に圧縮されるので、相対的に柔らかい下部ゴム層１２０は、厚みが小さくても床面の不陸が過大でなければ底部における止水は十分に確保できる。同様な理由により、圧縮時に下部ゴム層１２０が前記不陸部の低レベル方向へ部分的に過大膨出することはないので、底部パッキンの前記支止水性が阻害されることもない。
底部止水パッキン１２の補助止水部１２ｂはその上部ゴム層１２３が板本体１０の背面下部へ接着されており、床面方向へ作用する締付け圧力は本体止水部１２ａに対してのみならず補助止水部１２ｂに対してもほぼ同様に作用するから止水性能はさらに向上する。
【００２８】
板本体１０を各支柱部材５，５及び床面に対して押圧する押圧具がラッシングベルトであり、各ベルト２１，３１，４１を巻締めるハンドル２００，３００及び４００は梃子の原理により小さな力で巻き締めることができる。したがって、設置作業が簡単になる。
各ラッシングベルト２，３，４はそれらのベルトへ例えば前記のように目印線を表示することなどにより、それらの各締付け圧力（押圧力）の均一化を図るのが容易であるとともに、設置作業員の手の力による締付け圧力の個人差を解消することができる。
また、各ラッシングベルト２，３，４は、それらのバックル２０，３０，４０を板本体１０の背面へ前記のように取り付けたので、板本体１０と一体として管理や運搬をすることができて便利である。
【００２９】
止水板の第２実施形態及びその設置構造の第２形態
図４は止水板の第２実施形態とその設置構造の第２形態を示す部分背面図、図５は図４の設置構造の部分縦断側面図である。
【００３０】
この実施形態の止水板１には、板本体１０の背面下部に当該板本体１０に対してほぼ直角になるように断面アングル状の押え板が複数のねじ（図示せず）により固定され、この押え板１３の下面には補助止水部１２ｂの上部ゴム層１２３が接着されている  
この押え板１３の取付けは、底部パッキン１２を後述のように下方へ加圧圧縮するとき、補助止水部１２ｂをできるだけ本体止水部１２ａと同様に圧縮させるために好ましい。また、押え板１３の幅は補助止水部１２ｂの幅以下であるのが好ましい。その理由は、補助止水部１２ｂは後述のように下方へ加圧圧縮されるときに断面太鼓状状に変形する（幅方向の両側が膨らむ）が、背面側（図５の右側）への膨出量が正面側への膨出量よりも大きくなり、図３の左方向からの水の浸入への影響が小さくなるからである。
その他の構成や作用効果は、第１実施形態の止水板とほぼ同様であるのでそれらの説明は省略する。
【００３１】
次に止水板設置構造の第２形態を説明する。
なお、第１の設置形態と同じ構造部分には原則として共通の符号を付して説明を省略する。
この設置構造の形態は、止水板１における板本体１０の背面側両端部分へ第１のラッシングベルト２のみを用いた例であり、このラッシングベルト２自体は第１の設置構造の形態のものと同じ構成である。
設置状態における前記板本体１０の背面両端部近傍には、上部又は上部寄り位置にラチェット部２０１が当該板本体１０の下方へ向く状態にバックル２０が固定されたラッシングベルト２が設けられている。
なお、バックル２０はラチェット部２０１が板本体１０の対応する端部側斜め下方へ向く状態に当該板本体１０の背面へ固定されていても差し支えない。
【００３２】
板本体１０の背面側には、前記バックル２０の下方へ位置するようにフック受具２３が固定され、一方出入口７の側壁７０へ固定された支柱部材５の下部には、ラッシングベルト２のベルト２１を通し又は引掛ける受具２４が取り付けられている。
この設置構造において、前記受具には輪付ピンが使用されているが、輪付ボルトや輪付ナットその他の輪付金具を用いても実施することができる。
支柱部材５の中空部には通路側へ開口した挿入孔５６０を有するブロック５６を固定し、当該ブロック５６の挿入孔５６０へ輪付ピンからなる受具のピン２４０を挿脱自在に挿入するようにしてある。
【００３３】
止水板１を固定する際には、ラッシングベルト２のベルト２１を緩め、受金具２４の輪へベルト２１を通してその先端部をフック受具２３へ止め、ハンドル２００を操作して当該ベルト２１を所定の限度まで締め付ける。
図示の形態ではフック受具２３へベルト２１の端部を結び付けているが、ベルト２１の端部へ受具２４の輪へ通すことができるフック（図示せず）を取り付けても実施することができる。
ラッシングベルト２のベルト２１を所定の限度まで締め付けると、止水板１の側部止水パッキン１１は板本体１０の両端部背面により支柱部材５へ押圧されて圧縮され、底部止水パッキン１２は板本体１０により床面へ押圧されて圧縮される。
このようにして、止水板１の各端部においては一つのラッシングベルト２のみで側部止水パッキン１１と底部止水パッキン１２とが同時に圧縮され止水構造が構成されるので、使用するラッシングベルトが少なくて済むのでその分低コストになる。
【００３４】
第２形態の設置構造においても、板本体１０の長さが所定量以上（前記のように２０００ｍｍ前後を超える場合）であれば、第１形態と同様に中央部にラッシングベルト４を使用するのが好ましい。
【００３５】
止水実験
試験サンプル
実施例サンプル１：長さ８００ｍｍ，高さ５００ｍｍ，厚み４０ｍｍのアルミ合金等製の組立て中空パネルからなる板本体１０を使用し、他の部分は前記実施形態と同様に構成し（ただし、側部止水パッキン１１と各上部ゴム層１２１，１２３にはクロロブチレンゴムを使用）、設置構造の形態は第１形態を採用した（ただし、中央部のラッシングベルト４は省略した）。
実施例サンプル２：押え板１３を取り付けたほかは実施例サンプル１と同様に構成し、設置構造の形態は第２形態を採用した（ただし、中央部のラッシングベルト４は省略した）。
実施例サンプル３：補助止水部１２ｂを除いた底部止水パッキン１２と、底面が床面に接触する側部止水パッキン１１とを用い、他は実施例サンプル１と同様に構成し、設置構造の形態は実施例サンプル１と同様とした。
比較例サンプル１：幅４０ｍｍ，厚み４０ｍｍ，ゴム硬度Ｅ２０のクロロブチレンゴムからなる底部止水パッキンを用い、他は実施例サンプル２と同様に構成し、設置構造の形態は実施例サンプル１と同様とした。
比較例サンプル２：幅４０ｍｍ，厚み４０ｍｍ，ゴム硬度Ｅ８のシリコーンゴムからなる底部止水パッキンを用い、他は実施例サンプル２と同様に構成し、設置構造の形態は実施例サンプル１と同様とした。
【００３６】
試験設備
一端からの長さ１５００ｍｍ、幅８１０ｍｍ，深さ５００ｍｍであって、止水板設置部の両側面及び底面を市販のアクリル板で構成し、内面に水密処理を施し、他端部を開放した試験槽を準備。
【００３７】
試験方法
前記試験槽の前記一端から１２００ｍｍの部分に止水板正面が位置するように、前記形態の止水板設置構造と同様な要領で各サンプルを設置（ただし、同じ試験槽を使用した。また、支柱部材には５０×１００ｍｍのステンレス角パイプを使用した。）し、各ケースにおいて4００ｍｍ水位まで水を溜め、それぞれ試験槽の他端で３時間の漏水を採取測定した。
ラッシングベルトの締付け圧力は、各サンプルとも同一とした。
【００３８】
その結果は以下のとおりであった。
実施例サンプル１………漏水量が僅少で漏水採取不能
実施例サンプル２………漏水量は認められたが実施例サンプル１よりも少なかった。
実施例サンプル３………漏水量２０ミリリットル
比較例サンプル１………漏水量５リットル
比較例サンプル２………漏水量２リットル
以上の結果のとおり、実施例サンプル２は各比較例サンプルに対して止水性が優れており、実施例サンプル１はさらに止水性に優れている。  
【００３９】
前記実施形態の止水板１において、各第１のラッシングベルト２のバックル２０はラチェット部２０１がほぼ下方を向く状態に取り付けることができ、この場合には、それらに対応する各フック受具２３は床面の両側寄り位置へフック受具４３と同様に設ける。
フック受具２３，３３，４３が輪である場合には、それらと各バンド２１，３１，４１のフック具２２，３２，４２とは相互に置換することができる。
前記第３のラッシングベルト４は、板本体１０の長さ（出入口７の幅ないしスパンと対応する長さ）が所定長さ（例えば１３００ｍｍ）以上である場合に、底部止水パッキン１２の全長各部に対してできるだけ均一な圧力が加わるようにし、併せて止水圧力による板本体１０の背面方向への撓みを防止するために設けられるものであるから、板本体１０の長さが所定長さ以下である場合には設けなくてもよい。
同様な理由により、板本体１０の長さがさらに長い場合には、第３のラッシングベルト４を板本体１０背面へ同様な姿勢で所定間隔に複数設けることができる。
【００４０】
止水板設置構造の第３形態
図６は止水板設置構造における他の形態の一部を破断した部分背面図、図７は図６における破断部分の拡大図、図８は図７の矢印Ａ−Ａに沿う部分断面図である。
この形態の設置構造は、構造物の出入口７の幅が所定量以上（例えば２５００ｍｍ以上）大きい場合に適するものであり、止水板１の構成は前記実施形態の止水板１とほぼ同様なのでそれらの説明は省略する。
【００４１】
構造物の出入口７の両側壁７０には、前記設置形態と同様な要領で支柱部材（５０×１００ｍｍのステンレス製角パイプ）５を垂直状に固定し、この支柱部材５の側面下部にはアイボルトからなるフック受具２３（フック受具３３を兼ねる）が取り付けられている。
この実施形態においては、両支柱状部材５，５間へ位置するように、床に例えば１００×１００ｍｍのステンレス製角パイプからなる中支柱部材５ａをさらに植込み状に設置している。
５０は中支柱部材５ａの取っ手である。
【００４２】
中支柱部材５ａの設置位置には、底板を有する四角筒状（四面が僅かな傾斜の逆角錐面となっている。）であって、床面とほぼ同レベルとなる逆角樋状のフランジ部５２０が両側上端部に固定れた筒状ベース５２が埋設してあり、この筒状ベース５２の側面の適所にはアンカー５２１が固定されている。
各フランジ部５２０の下面にはボルト挿通孔と適合する位置にナット５３が埋め込み状に固定されており、各ナット５３はフランジ部５２０の下面に固定されたカバーケース５５によりカバーされている。
【００４３】
一方、支柱部材５の両側面には前記フランジ部５２０と対応するようにボルト挿通孔を有する樋状のフランジ部５１が固定されており、対応する各フランジ部５２０，５１が重なり合うように中支柱部材５ａを筒状ベース５２へ挿入し、各ボルト挿通孔を通じて各ナット５３へボルト（例えばトラスキャップボルト）５４をねじ締めて中支柱部材５ａを直立状に設置している。筒状ベース５２へ中支柱部材５ａを挿入する際には、中支柱部材５ａの下部正面（図６における右面）と筒状ベース５２の対応する内面との間にコーキング材を介在させることができる。
中支柱部材５ａを撤去したときは、同じボルト５４により各ボルト挿通孔が塞がれる。
中支柱部材５ａの両側面下部には、第１のラッシングベルト２と対応するアイボルトからなるフック受具２３（第２のラッシングボルト３のフック受具３３を兼ねる）が取り付けられている。
【００４４】
出入口７の幅が広いと床面の不陸が大きい（凹部の最低レベル凸部の最高レベルとの差）場合があるが、このように床面の不陸が大きい（例えば５ｍｍ以上）場合には、各支柱部材５，５ａの正面側へ近接させて出入口７のほぼ幅全体にわたるように、フラットな敷板６（図４及び図６）を床面に埋設する。
床の敷板６を埋設する部位には、アングル状の設置ベース６０が敷板６の長さと対応して埋設してあり、この設置ベース６０の水平板部にはボルト状のアンカー６１が所定の間隔に固定され、当該設置ベース６の垂直板部の上端縁は床面とほぼ同レベルにななるように構成されている。
設置ベース６０の垂直板部の背面側には厚肉のフラットな敷板６が床面よりもやや（平均３ｍｍ程度）浮上するレベルとなるように固定されている。
【００４５】
各支柱部材５，５ａの正面側へ底部止水パッキン１２の補助止水部１２ｂと側部止水パッキン１１とが接する状態で各止水板１を床面へ配置する。このとき、底部止水パッキン１２の本体止水部１２ａの底面を、当該底面の幅が出入口７の幅方向に沿って前記敷板６及び設置ベース６０の正面側上縁を跨ぐ状態（図６）とすることにより、当該部分の止水性を高めるように構成する。
前記のように各止水板１を前記設置形態と同様に、各ラッシングベルト２，３，４のベルト２１，３１，４１を必要量巻締め、各止水板１を堰板状に固定する。
敷板６は各止水板１が撤去された後も撤去されない。
なお中支柱部材５ａは、床面の幅の大きさによっては支柱部材５，５間へ一本でなく複数本設置される場合がある。
【図面の簡単な説明】
【００４６】
【図１】本発明に係る第１実施形態の止水板を使用した止水板設置構造の一形態を示すもので、設置状態を背面側から見た概略斜視図である。
【図２】図１の止水板設置構造における左端部分の部分破断拡大斜視図である。
【図３】図１の矢印Ａ−Ａに沿う部分拡大断面図である。
【図４】止水板の第２実施形態とその設置構造の第２形態を示す部分背面図である。
【図５】図４の設置構造の部分縦断側面図である。
【図６】止水板設置構造における他の形態の一部を破断した部分背面図である。
【図７】図６における破断部分の拡大図である。
【図８】図７の矢印Ａ−Ａに沿う部分断面図である。
【符号の説明】
【００４７】
１  止水板
１０  板本体
１１  側部止水パッキン
１２  底部止水パッキン
１２ａ  本体止水部
１２ｂ  補助止水部
１２０，１２２  下部ゴム層
１２１，１２３  上部ゴム層
２  第１のラッシングベルト
３  第２のラッシングベルト
４  第３のラッシングベルト
２０，３０，４０  バックル
２１，３１，４１  ベルト
２２，３２，４２  フック金具
２３，３３，４３  フック受具
２４  受具
２４０  ピン
５  支柱部材
５ａ  中支柱部材
６  敷板
７  構造物の出入口
７０  側壁
【図１】
2008180061.tif 000003
【図２】
2008180061.tif 000004
【図３】
2008180061.tif 000005
【図４】
2008180061.tif 000006
【図５】
2008180061.tif 000007
【図６】
2008180061.tif 000008
【図７】
2008180061.tif 000009
【図８】
2008180061.tif 000010